(57)【要約】【課題】  電話機用子機（以後「受話器」という）やコードレス電話機用子機（以後「子機」という）あるいは携帯電話機などの通信機器において音声や音を受信するための、イヤホンつき送受話器に関するものである。【解決手段】  イヤホンを受話器や子機あるいは携帯電話機の上端部、あるいは背面等に設け、携帯電話機等が音声や音を受信した際には、例えば指で押し上げるようにしてイヤホンを伸ばし、イヤホンを耳にあてることかできることを特色とし、その結果雑音を防止し良好な受信環境を得ることができる、イヤホン付き送受話器である。【選択図】    図４
0003113024.tif 000002
【実用新案登録請求の範囲】
【請求項１】
送話部と受話部を有する電話機用子機（以後「受話器」いう）やコードレス電話機用子機（以後「子機」という）あるいは携帯電話機等の通信機器の送受話器５で、前記受話部の構造に関して、
イヤホン２と、適度に硬く弾力性のある素材からなるブッシング３及び当該イヤホン２と一端が接続されたコード４、とから成るイヤホンセット１で
当該ブッシング３は、
ブッシング頭部３６と、ブッシング胴体部３７の二つの部分からなり、あるいは、当該ブッシング頭部３６と、当該ブッシング胴体部３７及び当該ブッシング胴体部３７と接着手段で接着されたブッシング延長部３８、の三つの部分とからなり、
当該ブッシング３を当該イヤホン２に接着手段により接着させることにより、当該ブッシング３と当該イヤホン２とが一体と成る構成にし、
当該ブッシング３を、当該送受話器５の筺体６を貫通して設けた孔へ挿入することにより、
当該イヤホン２と当該ブッシング３に関し、当該イヤホン２を当該送受話器筺体６の外側に置き、当該ブッシング３を当該送受話器筺体６の中に吊り下げるように設け、当該イヤホン２と接続されたコード４の他端を、当該送受話器筺体６内にあって受信機能を有する基板７と接続させる、あるいは、当該イヤホン２と接続されたコード４の他端を、いわゆる固定電話機の受話器１２にあっては、当該固定電話機１１本体と接続したコードＡ１３と接続させる、構成にし、
当該イヤホン２を引き上げ又は押し上げ、あるいは引き下げ又は押し下げることにより、当該送受話器５に対して当該イヤホン２が伸縮自在となるものの、
当該ブッシング３の全部が当該送受話器筺体６からはみ出さないようにした、ことを特徴とする、イヤホン付き送受話器。
【請求項２】
送話部と受話部を有する受話器や子機あるいは携帯電話機等の通信機器の送受話器５で、前記受話部の構造に関して、
イヤホン２と、適度に硬く弾力性のある素材からなるブッシング３及び当該イヤホン２と一端が接続されたコード４、とから成るイヤホンセット１で
当該ブッシング３は、
ブッシング頭部３６と、ブッシング胴体部３７の二つの部分からなり、あるいは、当該ブッシング頭部３６と、当該ブッシング胴体部３７及び当該ブッシング胴体部３７と接着手段で接着されたブッシング延長部３８、の三つの部分とからなり、
当該ブッシング３を当該イヤホン２に接着手段により接着させることにより、当該ブッシング３と当該イヤホン２とが一体と成る構成にし、
両端が開口部と成っているイヤホンセットカバー８で、
当該ブッシング３を、あるいは、当該イヤホン２の全部又は一部と当該ブッシング３とを、覆った後、当該イヤホンセットカバー８を当該送受話器５の外面に接着手段により接着させ、
当該イヤホン２と接続されたコード４の他端を、当該送受話器５の筺体６を貫通して設けた孔を通して当該送受話器筺体６に内にあって受信機能を有する基板７と接続させる、あるいは、当該イヤホン２と接続されたコード４の他端を、いわゆる固定電話機の受話器１２にあっては、当該固定電話機１１本体と接続したコードＡ１３と接続させる、構成にし、
当該イヤホン２を引き上げ又は押し上げ、あるいは引き下げ又は押し下げることにより、当該送受話器５に対して当該イヤホン２が伸縮自在となるものの、
当該ブッシング３の全部が当該イヤホンセットカバー８からはみ出さないようにした、ことを特徴とする、イヤホン付き送受話器。
【請求項３】
固定軸３９に前記ブッシング３をスライド可能に軸着させ、当該固定軸３９を前記送受話器筺体６に固定手段で固定し、あるいは当該固定軸３９を前記イヤホンセットカバー８で覆った、
ことを特徴とする、請求項１又は請求項２記載の、イヤホン付き送受話器。
【請求項４】
送話部と受話部を有する受話器や子機あるいは携帯電話機等の通信機器の送受話器５で、前記受話部の構造に関して、
イヤホン２と、適度に硬く弾力性のある素材からなるブッシング３及び当該イヤホン２と一端が接続されたコード４、とから成るイヤホンセット１で、あるいは、イヤホン２と、適度に硬く弾力性のある素材からなるブッシング３と、当該ブッシング３をスライド可能に軸着させた前記固定軸３９及び当該イヤホン２と一端が接続されたコード４、とから成るイヤホンセット１で
当該コード４の他端は、前記基板７や前記コードＡ１３と接続されるのではなく、イヤホンジャック９と接続され、さらに当該イヤホンジャック９は前記送受話器５のイヤホンジャック挿入口１０に挿入される、
ことを特色とする、請求項２又は請求項３記載の、イヤホン付き送受話器
【請求項５】
前記ブッシング３を、あるいは、前記イヤホン２の全部又は一部と当該ブッシング３とを、覆った前記イヤホンセットカバー８を台座２６に接着手段により接着させ、
さらに当該台座２６を前記送受話器筐体６の外面に接着手段により接着させたこと、を特色とする、請求項２又は請求項３又は請求項４記載の、イヤホン付き送受話器
【考案の詳細な説明】
【技術分野】
【０００１】  本考案は、電話機用子機（以後「受話器」という）やコードレス電話機用子機（以後「子機」という）あるいは携帯電話機などの通信機器において音声や音を受信するためのイヤホン付き送受話器に関するものである。
本考案は、上記のとおり「送受話器」に関するものであるが、理解を深めるため「送受話器」の一種である「携帯電話機」を例にとりながら論をすすめることとする。なお、このことにより本発明の権利の範囲を「携帯電話機」に限定するものではない。
【背景技術】
【０００２】（過去の特許文献）
上述した通信機器の受話口にはスピーカー（以後「イヤホン」という）がもうけられているが、従来イヤホンは受話口部分に内蔵されるかたちで固定して設けられていた。
また、受話口部分に、イヤホンからの受信状態を良好にするために、（イ）突起を受話口に設けたり（特許文献１）、（ロ）、突起を携帯電話機の筐体に挟み持つようにして装着させたり（特許文献２）、（ハ）ボタン操作で突起を受話口から迫出・迫下させるようにしたり（特許文献３および４）、（ニ）イヤホンを携帯電話機上面に設け、着信時には当該イヤホンを引き出し耳にあてて使用するためのイヤホンを携帯電話機上端に設けたり（特許文献５）、する発明が知られている。
【特許文献１】    特許公開  ２００２−３０５５７５
【特許文献２】    特許公開  ２０００−３４９８７８
【特許文献３】    特許公開  平８−７９３４７
【特許文献４】    特許公開  平９−２６６５０３
【特許文献５】    特許公開  平５−１４４６４
【考案の開示】
【考案が解決しようとする課題】
【０００３】（耳介の構造）
本考案は音声や音の受信に関するものであるので、耳の構造についての理解を深めておきたい。図１９は、耳の構造を示す概略図である。この耳介３０は、通常「耳」といわれている部分である。
この耳介３０は軟骨によって作られており、耳介３０の外側には筋肉がいくつかあり耳介軟骨を引っ張っている。しかし、耳介３０の下の部分（耳たぶといわれているところ）には軟骨はなく脂肪組織でしめられている。さらに、耳介３０は概略楕円状でふくらみをもち、お椀を半分に切ったような形状をしている。【０００４】（板状のものを押し当てた際にできるのすき間）
上述したように、耳介３０に軟骨があることより、耳介３０に板状のものを押し当てても当該板状のものが外耳道入口１７に密着することはなく、外耳道入口１７と当該板状のものとの間にはすき間ができる。【０００５】（従来の欠点１：すき間と音漏れ・電池の多量消耗）
図１６は従来の携帯電話の使用状態を示す側面断面図である。上述したように耳介３０にはふくらみと軟骨があるため、携帯電話機１４を耳介３０に押し当てても受話口（内臓イヤホーン）１８と外耳道入口１７との間には空間（すき間）ができ、ここから外部の音が入り込むので、受話口（内臓イヤホーン）１８からの音声や音が聞きづらくなる、という欠点があった。
また、この欠点を補うために受話口１８からでる音声や音の音量を上げる手段もとられていたが、音量を上げると受信した内容が外に漏れたり、明瞭性にかけたり、あるいは電池を多く消費する、などの欠点があった。【０００６】（従来の欠点２：先発明（特許文献１〜５）の欠点や問題点）
ところで上記の欠点については「０００２」に記載した５つの特許文献などで改善策が提起されている。その１〜４の概要はいずれにおいても、受話器や携帯電話機などの受話口に突起を設け、当該突起を「耳の中」または「耳の孔（耳孔）」に挿入したり、「耳に差込む」ことにより、受信した音声や音が外部に漏れないあるいは漏れにくくする、という方法であり、特許文献５はコードが伸びるようになったイヤホンを設け、受信時には当該イヤホンを引き伸ばし、耳にあてて、より良い受信環境を得ようとするもの、である。【０００７】（従来の欠点３：外耳道の損傷・黴菌や耳垢の付着）
先発明においても良好な受信環境を得ることができるが、１〜４の各先発明に従えば当該「突起」を図１９で示す耳の概略図の外耳道３１に挿入する必要がある。外耳道３１に「突起」を挿入すると、外耳道３１を傷つけたり、黴菌等が入り込んだりして不衛生になる。また、「突起」にも外耳道３１で分泌される耳垢が付着する。先発明にはこのような欠点がある。【０００８】（従来の欠点４：イヤホンコードの引き伸ばす方法の問題点）
特許文献５では、受信時に内蔵されていたイヤホンコードを引き伸ばし、イヤホンを耳にあてる方式が提案されている。これはこれとして良好な受信環境を得ることができるが、受信音が鳴った時に当該イヤホンを引き伸ばして耳にあてる動作が完了するまでには若干の時間が必要で、耳にあててしまうまでの間は「モシモシ」などの受信を知らせる応答ができない。
電話の受信時においてのこの「時間」は、相当の焦りを憶えるものであり、理論上では問題ないが、実際の使用に当たっては上述した操作と動作と気持から使用しづらいという、欠点がある。
また、イヤホンコードを持ってもそのイヤホン部分が略正面を向く状態を維持することはできず、使用に当たっては常に当該イヤホンを握って操作する必要がある、という欠点がある。【０００９】（従来の欠点５：イヤホン突起の固定化による外耳道等の損傷および電話機の送話口と口との位置関係による会話時の不安）
上記の先発明では、音声や音の受信部分である受話口に設けられたスピーカー（イヤホン）は、受話器や電話機などの内部に固定してもうけられているので、当該イヤホン部分にもうけられた突起も固定されていることが特色となっている。
上記「０００７」で述べたように、「突起」が外耳道３１に挿入されると、例えば移動中に使用した場合、受話器や携帯電話機などがぶれて、外耳道３１を傷つけてしまう可能性があり、また急いで電話を取ったり終了させる場合にも、「突起」で外耳道３１を損傷しかねない、などの欠点もある。
さらには、「突起」を外耳道３１に挿入してしまうので、自分の声や音を相手に伝える送話口の位置と自分の口の位置との間に距離ができてしまう場合もある。このよう場合には自分の声などが送話口を通じて相手にはっきりと伝わるかどうか心配になり、無意識のうちに話す声などが大きくなり、その結果他人に迷惑をかけたり会話の内容が漏れてしまう、という欠点が生じやすい。
本考案は、「０００５」から「０００９」までに述べた問題点を解決するためになされたものである。
【課題を解決するための手段】
【００１０】（本考案の概要）
本考案の概要を理解するには、図３のイヤホンセット１を携帯電話機に装着した図で（ａ）は斜視図（ｂ）は側面図と、図４のイヤホンを伸ばした状況を示す図で（ａ）は斜視図、（ｂ）は側面図、の二つの図と、従来の携帯電話機の斜視図である図５、とを比較しながらみると理解しやすい。
図１は以下の構造からなる、イヤホンセット１、の構成斜視図である。
（１）イヤホン２は、スピーカー３５と、これを覆ったイヤホンカバー３４からなり、
（２）適度に硬く弾力性を持った素材でなるブッシング３は、図１の（ａ）と（ｂ）にみるように、当該スピーカー３５を覆ったブッシング頭部３６と、ブッシング胴体部３７の二つの部分からなり、あるいは、図１の（ａ）と（ｃ）にみるように、当該スピーカー３５を覆ったブッシング頭部３６と、ブッシング胴体部３７及び、当該ブッシング胴体部３７と接着手段で接着されたブッシング延長部３８、の三つの部分とからなり、
（３）さらに、当該ブッシング頭部３６は当該スピーカー３５と接着されているので、
（４）図２に示すように、当該イヤホン２とブッシング３は一個の部品のように一体となっている（以後「一体になった」等という）、さらに、
（５）コード４は、当該ブッシングの中を貫通して、その一端はスピーカーと接続し、もう一方の端は基板７や、イヤホンジャック９や、コードＡ１３、のいずれかと接続している、
そして、以下は本考案の実施例の一つであるが、例えば当該イヤホンセット１の当該ブッシング３部分に関し、
（１）図６に示すように、携帯電話機の筺体１５を貫通して設けた孔へ、
（２）当該イヤホン２部分を当該携帯電話機筺体１５の外側から内側へブッシン３を貫通させるように挿入し、
（３）当該携帯電話機筺体１５の内部に当該ブッシング３が吊り下げられるように設けるものの、
（４）当該ブッシング３は、当該携帯電話機筺体１５からはみ出さない範囲で、動かすことができる、構造にすることにより、
（５）当該ブッシング３と接着した当該イヤホン２も、当該ブッシング部３と同一の動きが可能となるので、
（６）アンテナ線１９を伸ばすように、指一本で簡単に当該イヤホン２を伸ばすことが可能となる。
（７）しかも、適度に硬く弾力性を持った素材でなる当該ブッシング３と当該イヤホン２は一体となっているので、当該イヤホン２を手等で支えなくとも、当該イヤホン２は前後左右に折れ曲がって倒れることもなく、略正面を向いた状態を維持できる。
次にこれを使用する場合と効果については、以下のようになる。
着信時には、指で当該イヤホン２を押し上げ、図１８にみるように、当該イヤホン２を耳に、あるいは外耳道入口１７にあてることにより、良好な受信状態を享受できるのであり、
この結果従来の発明の諸欠点を改良することができる。
以上が本考案の概要である。【００１１】（部品の構造や機能および記述上の約束）
以下において種々の部品についてその構造や機能について説明するが、「上、下」「左、右」などの表現については本考案に関する書類である「種類名：図面」に描いた図形（図）を基準にして述べることにしる。
また、「一体になる」という表現は、ある部分（部品）とある部分（部品）が接着される等で、あたかも一つの構造物あるいは一つの部品のようになる状態をいうことにする。【００１２】（イヤホンセット）
図１はイヤホンセット１の構成を示す断面斜視図である。
当該イヤホンセット１は、イヤホン２部分と、ブッシング３部分及び、コード４部分からなっており、その構成と構造の詳細は以下のとおりである。
（１）当該イヤホン２部分については、
スピーカー３５と当該スピーカー３５の耳にあてる部分である前面部分を覆ったイヤホンカバー３４からなっており、耳にあてる部分である前面部分とは反対側の後面部は後述するブッシング頭部と接着手段により接着されている。
なお、当該スピーカー３５や当該イヤホーンカバー３４等の素材や形状、あるいは大きさなどを特定するものではなく、市販されているものを使用してもよい。
（２）当該ブッシング３部分は、
適度に硬く弾力性を持った素材でなるブッシング３は、図１の（ａ）と（ｂ）にみるように、当該スピーカー３５を覆ったブッシング頭部３６と、ブッシング胴体部３７の二つの部分からなり、あるいは、図１の（ａ）と（ｃ）にみるように、当該スピーカー３５を覆ったブッシング頭部３６と、ブッシング胴体部３７及び、当該ブッシング胴体部３７と接着手段で接続されたブッシング延長部３８、の三つの部分とからなり（なお、図１の（ｃ）のように「ブッシング胴体部」と接続された「ブッシング延長部」を含めて、特に断らない限り単に「ブッシング胴体部」という）、
当該ブッシング胴体部３７あるいは当該ブッシング胴体部３７と当該ブッシング延長部３８の形状については、丸型でもよく板状でもよく、あるいはテーパー状に形成さてもよく、その形状を特定するものではないが、当該ブッシング胴体部３７の図１でみるａ−ｂの長さを限定するものではないが、例えば１１センチメートル以上となるように形成し、さらに、
ブッシング頭部３６は、当該スピーカー３５の耳にあてる部分とは反対側であるスピーカー後部を、両者が固定されたかのようにして覆う部分であるが、ネジでとめてもよく、接着剤で接着させてもよく、その方法を特定するものではないが、
固定するようにして覆ったあとは、当該イヤホン２部分と当該ブッシング３が一体化された状態になるので、当該イヤホン２部分を手で持つ等の補助作用をせずとも、当該イホン２は略正面を向いた状態を維持することが可能となり、
当該イヤホン２の動きと当該ブッシング３、即ち当該ブッシング胴体部３７との動きは同一になる。また、
（３）コード４の素材等に関しては、
市販されているものでもよく、その素材や形状を特定するものではなく、
（４）当該コード４の一端は、図１にしめすように
当該イヤホン２と一体となったブッシング３、の中を貫通して当該イヤホン２、と接続されており、
（５）当該コード４のもう一方の端は、図２にしめすように
実施例によって異なるが図２に示すように当該携帯電話機１４の筺体１５内にあって、受信機能を有する基板７、と接続され、あるいはイヤホンジャック９、と接続されもしくは、いわゆる固定電話機１１の受話器１２にあっては、当該固定電話機１１本体と接続されたコードＡ１３、と接続されている。
（６）固定軸について
固定軸３９は図２０に示すように筒状のものでその中をブッシング３が貫通している。従って当該固定軸３９を固定すると当該ブッシング３が自在に上下に動けるようになっている。当該固定軸３９の材質は特定しないが、この上下運動に耐えられる適度の硬度があればよい。また、固定軸３９の内径の直径は、当該ブッシング３の外径の直径に対しては若干大きいが、携帯電話機１４を逆さまにしても当該ブッシング３がずり落ちてこないものの、当該ブッシング３がスムーズに上下に移動できる、程度の大きさにしておく。
なお、当該固定軸３９は当該ブッシング３に必ず装着する必要はない。装着するケースとしないケースがある。する、しないは構造上のことで、機能面に優劣は生じない。【００１３】（イヤホンセットの携帯電話機等への装着）
上記「００１２」で述べたイヤホンセット１の携帯電話機等への装着に関しては、装着場所を特定するものではない。ここでは、（実施例１）として携帯電話機の上端に装着する場合と、（実施例２）として固定電話機１１の受話器１２へ装着する場合と、（実施例３）としてイヤホンセットカバー８を使って携帯電話機の背面に装着する場合、および（実施例４）として台座２６とイヤホンセットカバー８とをもちいて携帯電話機の背面に装着する場合、について述べることにする。
【実施例】（実施例１）【００１４】（携帯電話機の上端への装着）
（イヤホンセットの装着）
実施例の一つとして携帯電話機上端１６部分に前記イヤホンセット１を設ける場合について述べることにする。
図６は、当該イヤホンセット１を携帯電話機上端に設けた状況を示す図で（ａ）斜視図、（ｂ）は側面断面図である。この図を参考にすると理解しやすい。
（１）携帯電話機上端に孔を設ける
図６（ａ）に示すように、携帯電話機上端１６に、携帯電話機筺体１５を貫通するようにして、当該イヤホンセット１の前記ブッシング３の外面（外径）とほぼ同じ大きさの孔を設ける。
（２）ブッシングの挿入
当該イヤホンセット１の前記イヤホン２部分を持って当該携帯電話機筺体１５の外側から内側（上から下）へ当該ブッシング３を貫通させるように挿入する。
なお、前記固定軸３９を当該ブッシング３部分に装着している場合は、当該固定軸３９を当該孔部分に固定手段で固定する。
（３）ブッシングの吊設
このことにより、当該イヤホンセット１は前記イヤホン２を上にして、当該携帯電話機筺体１５の内部に当該ブッシング３を吊り下げるような状態で設けたことになる。
（４）ブッシングの上下移動
以上の構造にも拘らず、吊り下げた当該ブッシング３は、当該携帯電話機筺体１５の内部に固定されるのではなく、携帯電話機上端１６部分に設けた孔を通って上下に移動できる構造にする。即ち、当該ブッシング３が携帯電話機筺体１５の内側から外側へ出る動きを可能とするのである。このことは即ち、当該イヤホン２も携帯電話機上端１６から上方へ移動できることになり（以後「イヤホンを伸ばす」または「イヤホンが離れる」という）、また、当該ブッシング３を携帯電話機筺体１５の中に押し込むことで、伸びた当該イヤホン２の下端が当該携帯電話機上端１６と接する位置までもってくることができる。（以後「イヤホンを縮める」または「イヤホンを収納する」という）
（５）イヤホンの動かし方と向き
上記（４）の動きの技術的特色は、当該イヤホン２は、例えば指一本ででも伸ばすことができることであり、さらに伸びた状態においても何の補助がなくとも当該イヤホン２は略正面を向いた状態を維持できる、ということである。
（６）コードの基板への接続
次にコード４についてであるが、当該コード４の一端は、「００１２」で記載したように携帯電話機筺体１５の内部にある基板７と接続させる。このことによって、携帯電話機１４が受信した音声や音を当該イヤホン２で聞くことができる。
（７）コードの収納方法とコードの長さ
さらに当該コード４は、図６に示すように、たるみをもたせた状態で当該基板７に接続させるのであるが、当該コード４のたるんだ部分の長さ（ｃ−ｂ）は当該ブッシング３が当該携帯電話機筺体１５の外に伸びた長さ（ａ−ｄ）より短くしておくことで、図７に示すように当該イヤホン２が最大に伸びても、当該ブッシング３が当該携帯電話機筺体１５の外側に抜け出すことはない。
（８）ブッシングのテーパー加工
あるいは、当該ブッシング３をテーパー状に形成しておくことで上記問題を解決できる。
（９）イヤホンの移動距離とブッシングの長さ
図７は当該携帯電話機筐体１５内での当該コード４と当該ブッシング３の関係を示す図で、（ａ）はイヤホンを収納した状態（ｂ）はイヤホンを最大に伸ばした状態を示す側面断面図である。当該イヤホン２が図７（ａ）の状態から図７（ｂ）の状態へ最大に伸びる長さは、（ａーｄ）である。この長さ（ａーｄ）は特定するものではないが、最大１１センチメートル以内で十分である。
従って、当該ブッシング３の長さ（ａーｂ）は１１センチメートル超とするが、その超過部分の長さ（ｄーｂ）を特定するものではない。
（１０）なお、当該イヤホン２を収納する際に、当該イヤホン２の一部または全部が、当該携帯電話機筐体１５の中に収納されるようにしてもよい。
また、当該携帯電話機筐体１５内に収納された当該コード４は、例えばゼンマイ等用いた収納機に収まるようにして、当該携帯電話機筐体１５内に収納してもよい。【００１５】（使用方法と効果）
上記「００１４」で装着した携帯電話機１４の使用方法について述べる。
当該携帯電話機１４が受信状態になったら、当該携帯電話機１４を握り、例えば人指指等で当該ブッシング頭部３６近辺等をはじくように押し上げて、当該イヤホン２を伸ばし、当該イヤホン２を耳にあてたり、あるいは外耳道入り口１７近辺にあてることにより、良好な受信環境を得ることができる。
図１６はイヤホンのデザインの一例を示す断面斜視図である。この図で示すように当該イヤホン２の後部に突起２８やノコギリ歯状突起２９を設けておくと、受信時に当該イヤホン２を指でより容易に押し出すことができる。
また、もともと当該イヤホン２が当該携帯電話機上端１６に出ているので、受信状態になった場合に当該イヤホン２を伸ばさずとも、そのままの状態でも容易に当該イヤホン２を耳に、あるいは外耳道入り口１７にあてることができ、これによって良好な受信環境を享受できる。
なお、上記「００１４」の（４）に記載のブッシングの上下移動、（５）のイヤホンの動かし方とイヤホン２の向き、（７）のコードの収納方法とコードの長さ、および（９）のイヤホンの移動距離とブッシングの長さ、またこの「使用方法と効果」等は以下に述べる（実施例２）から（実施例４）においても基本的に同じ構造・作用となる。
（実施例２）【００１６】（固定電話機の受話器への装着）
図１５は、固定電話機１１の受話器１２に前記イヤホンセット１を設けた図で（ａ）は斜視図、（ｂ）は断面図である。
当該固定電話機１１の受話器１２への装着方法や使用方法等は、前記コード４の接続方法を除き上記「００１４」に記載の通りである。
ところで当該固定電話機１１の受話器１２自体には上述した前記基板７は存在しない。当該固定電話機１１が受信した音声や音は、当該固定電話機１１にある当該基板７と連接したコードＡ１３を経由して当該受話器１２の受話部へ伝えられるようになっているので、「００１４」の（６）で記載したように当該コード４は固定電話機１１の内部にある基板７と接続させるのではなく、当該固定電話機１１から伸びた当該コードＡ１３に接続させるのである。
このことにより、固定電話機１１が受信した音声や音は、当該イヤホン２で聞くことができる。
上記以外の構造・作用および使用方法や効果等は「００１２」から「００１５」に記載の通りである。
（実施例３）【００１７】（イヤホンセットカバーを使った携帯電話機の背面への装着）
実施例の３番目として携帯電話機の背面にイヤホンセットカバーを用いて前記イヤホンセットを設ける場合について述べることにする。
図８から図１３を参考にすると理解しやすい。
（１）携帯電話機の背面に孔を設ける
図１０は、イヤホンを携帯電話機の背面に設けた状態を示す断面図である。この図に示すように携帯電話機背面２２に携帯電話機筺体１５を貫通するようにして、孔を設ける。
（２）コードの基板への接続
次に当該コード４についてであるが、当該コード４の一端は、「００１２」の（５）あるいは「００１４」の（６）で記載したように携帯電話機筺体１５の内部にある基板７と接続させる。このことによって、携帯電話機１４が受信した音声や音を当該イヤホン２で聞くことができる。
（３）コードの収納方法とコードの長さ
さらに当該コード４は、図１０や図１１あるいは図１２に示すように、たるみをもたせた状態で当該基板７に接続させる。図１２はイヤホンセットカバー内の当該コード４とブッシングの関係を示す図で（ａ）はイヤホンを収納した状態（ｂ）はイヤホンを最大限に伸ばした状態を示す断面斜視図である。この図１２で詳しく示したように、当該コード４のたるんだ部分の長さ（ｂ−ｃ）は当該ブッシング３が当該イヤホンセットカバー８の開口部から上（外）に最大に伸びた長さ（ａ−ｄ）より短くしておくことで、図１２に示すように当該イヤホン２が最大に伸びても、当該ブッシング３がイヤホンセットカバー８からはみ出すことはない。
（４）イヤホンセットカバーについて
図８は、イヤホンセットカバーの一例を示す斜視図である。
当該イヤホンセットカバー８の素材については、金属、合成樹脂、布、皮革等素材は特定しない。形状については図８に見るように、かまぼこ型あるいは方形からなる等その形状を特定しなものの、その両端は開口部となっており、その両翼にはノリシロａ２３およびノリシロｂ２４が設けられており、これらノリシロの裏面には接着剤等が塗布されており、後述するように当該イヤホンセットカバー８は前記イヤホンセット１を覆ったあと、当該携帯電話機背面２２へ固定される。なお、固定する方法は、接着、縫着等その手段を特定するものではない。
（５）イヤホンセットの装着
図１２の（ａ）と図１０を参照すると理解が早いが、当該イヤホンセット１の当該イヤホン２の下端部分が当該携帯電話機上端１６に接するように当該イヤホンセット１を当該携帯電話機背面２２に置き（セットし）、
当該イヤホン２と一体となった当該ブッシング３が容易に当該イヤホンセットカバー８からずれ出さずしかし、手で引っ張ったり指で押し出せば、容易に当該イヤホン２が伸びたり縮んだりできるような強さで、当該ブッシング３部分と当該コード４を当該イヤホンセットカバー８で覆い、あるいは、
当該ブッシング３に前記固定軸３９が装着されている場合は、当該固定軸３９部分を当該イヤホンセットカバー８で覆い、
両翼のノリシロａおよびｂを介して当該イヤホンセットカバー８を当該携帯電話機背面２２に接着手段を用いて接着させる。
これによりあたかも当該イヤホンセット１が当該イヤホンセットカバー８を介して当該携帯電話機背面２２に固定されたかのような状態になる。
図１０は上記のようにして当該イヤホンセット１を当該携帯電話機１４の背面２２に設けた状態を示す断面図である。また、図９は、当該イヤホン２を除いた状態で、当該イヤホンセット１を当該イヤホンセットカバー８で覆った状況を示す上面断面図である。
（６）イヤホンの移動
以上の構造により、当該イヤホンセットカバー８で覆われた当該ブッシング３は、当該イヤホンセットカバー８内で（上下に）移動することができる。このことにより当該イヤホン２も上下に移動することが可能となる。
当該ブッシング３は適度に硬く弾力性のある素材からなっているので、当該イヤホン２を伸ばしても、手等で保持せずとも、当該イヤホン２は略正面を向いた状態を維持することができる。
また、上記（３）に記載したように図１２に示す当該コード４の長さ（ｂ−ｃ）は、当該ブッシング３が最大に移動する距離（ａ−ｄ）より短いので、当該ブッシング３が当該イヤホンセットカバー８の上部の開口部からはみ出すことはない。
この当該イヤホン２の移動と保持装置がなくとも当該イヤホン２が略正面を向いている点に本考案の技術的進歩性と新規性があるのである。
（７）ブッシングの長さ
当該イヤホンカバー８で覆われる当該ブッシング３の長さ等については上記「００１４」の（９）に記載したとおりである。
（８）固定電話機の受話器への装着
当該イヤホンセットカバー８をもちいて、当該イヤホンセット１を固定電話機１１の受話器１２にもうける方法については、上記（実施例２）に記載した方法と基本的に同じであり、当該コード４の接続先が当該基板７ではなく前述したコードＡ１３となるのである。
（９）イヤホンジャックをもちいる方法
請求項４に記載しているが、上記（２）で、当該携帯電話機背面２２の筐体１５に孔設け、当該コード４の一端を当該基板７に接続させたが、前記孔も設けず従って当該基板７へ接続せず、当該コード４の一端にイヤホンジャック９を設け、当該イヤホンジャック９を携帯電話機１４のイヤホンジャック挿入口１０に挿入する方法がある。この方法によっても上記各実施例と同一の効果を得ることができる。
この場合、当該ブッシング３の一端から当該イヤホンジャック９までの当該コード４は、コードカバー２７で覆ってもよく、露出させたままでもよく、この点は特定するものではない。但し実務上は覆うことが望ましい。
（１０）なお、当該イヤホン２を収納する場合、図面は省略するが当該イヤホンの全部または一部を、当該イヤホンセットカバー８内に収納するようにしてもよい。即ち、当該イヤホンセットカバー８で、当該イヤホン２の全部又は一部を覆うようにしてもよい。
（１１）使用方法と効果
使用方法に関しては上記「００１５」に記載したとおりである。
（実施例４）【００１８】（台座とイヤホンセットカバー８とをもちいた携帯電話機の背面への装着）
（実施例４）は請求項５に記載していることである。（実施例３）は、前記イヤホンセット１を携帯電話機背面２２に直接設ける方法について述べてきた。しかし、当該携帯電話機背面２２に設ける（のせる）前記イヤホンセット１を、容易に破損しないがしかしハサミ等で切断加工できる素材からなる台座２６に乗せた後に、前記イヤホンセットカバー８で覆い、当該イヤホンセットカバー８を当該台座２６に接着手段を用いて接着させ、更にその後、当該台座２６を当該携帯電話機背面２２等に接着手段で接着させる、とう方法がある。完成した状態を示す図１３を参照すると理解が早いが、具体的には下記のような構造になる。
（１）当該イヤホンセット１の当該イヤホン２の下端部分が当該台座２６の上端に接するように当該イヤホンセット１を当該台座２６の上に置き（セットし）、
（２）当該イヤホン２と一体となった当該ブッシング３が容易に当該イヤホンセットカバー８からずれ出さずしかし、手で引っ張ったり指で押し出せば、容易に当該イヤホン２が伸びたり縮んだりできるような強さで、当該ブッシング３部分と当該コード４を当該イヤホンセットカバー８で覆い、あるいは、
当該ブッシング３に前記固定軸３９が装着されている場合は、当該固定軸３９部分と当該コード４とを当該イヤホンセットカバー８で覆い、
（３）両翼のノリシロａおよびｂを介して当該イヤホンセットカバー８を当該台座２６に接着手段を用いて接着さる。
（４）これによりあたかも当該イヤホンセット１が当該イヤホンセットカバー８を介して当該台座２６に固定されたかのような状態になる。
（５）この状態の当該台座２６を接着手段を用いて、当該携帯電話機背面２２等に接着させる。
（６）なお、当該ブッシング３の一端のコード４にはイヤホンジャック９を設け、当該イヤホンジャック９を当該携帯電話機１４のイヤホンジャック挿入口１０に挿入する。このことにより、受信した音声や音は当該イヤホン２で聞くことができる。
上記コード４にイヤホンジャック９を設けずに、上記「００１７」に記載したように前記基板７や前記コードＡ１３と接続させる場合には、当該台座２６にも当該コードを通す孔を設け、当該台座２６の孔と前記携帯電話機筐体１５に設けた孔とを通して当該基板や当該コードＡ１３と接続させるようにする。
（７）ブッシング３を覆った当該イヤホンカバー８の一端から当該イヤホンジャック挿入口１０までの当該コード４は、コードカバー２７で覆ってもよく、あるいは当該コードカバー２７をかけずに当該コード４が露出した状態にしておいてもよい。
（８）当該コードカバー２７の素材は当該イヤホンカバー８と同一でもよく、特定するものではない。また、当該コードカバー２７の形状についても特定するものではない。
（９）さらに、当該台座２６の形状は、長方形でもよくその形状を特定するものではない。
なお、当該ブッシング３の移動や当該ブッシング３の長さ等当該イヤホンセット８を設けることに関しての構造は、上記以外については「００１７」に記載したとおりである。
また、使用方法と効果については上記「００１５」に記載したとおりである。
【考案の効果】
【００１９】  従来の考案は、受信状態になった際に、即ち通話時においては耳に突起物を入れることにより、そしてその突起物は従来の携帯電話機１４の受話口１８に固定されて設けられるものであり、あるいは受信状態になったらひも状のコードを携帯電話機１４から引っ張り出して耳にあてる、などの方法で良好な受信環境を得ようとするものであった。これらにおいても、それなりの良好な受信環境を得ることはできるが、例えば受信状態になってからコードを引っ張り出して耳にあてる、という操作はかなり焦りを伴う動作であり、受信を感知してからイヤホンを耳に入れるまで応答ができない、という欠点があった。その他従来の方法の欠点については「０００５」から「０００９」に詳述した。
本考案によれば、指一本でイヤホンを伸ばすことができ、しかもイヤホンは支えがなくとも略正面を向いているので、イヤホンを耳にあてるあるいは耳に入れることも容易にでき、構造も簡単であり、受信から応答までの操作と時間は従来の固定式内蔵型イヤホンと変わらない。にも拘らず、イヤホンを耳に入れることができるので、いかなる場所でも受信した音声や音を良好状態で聞くことができるのである。
特に実施例４で述べた方法は、既存の携帯電話機などにも容易に装着できる方法である。
本考案は、健常者はもちろん難聴者あるいは老齢者にも簡単な操作で最良の受信環境を得ることができる方法で、現代社会に大いに貢献する技術である。
【考案を実施するための最良の形態】
【００２０】（本考案の概要）
本考案の概要を理解するには、図３のイヤホンセット１を携帯電話機に装着した図で（ａ）は斜視図（ｂ）は側面図と、図４のイヤホンを伸ばした状況を示す図で（ａ）は斜視図、（ｂ）は側面図、の二つの図と、従来の携帯電話機の斜視図である図５、とを比較しながらみると理解しやすい。
図１は以下の構造からなる、イヤホンセット１、の構成斜視図である。
（１）イヤホン２は、スピーカー３５と、これを覆ったイヤホンカバー３４からなり、
（２）適度に硬く弾力性を持った素材でなるブッシング３は、図１の（ａ）と（ｂ）にみるように、当該スピーカー３５を覆ったブッシング頭部３６と、ブッシング胴体部３７の二つの部分からなり、あるいは、図１の（ａ）と（ｃ）にみるように、当該スピーカー３５を覆ったブッシング頭部３６と、ブッシング胴体部３７及び、当該ブッシング胴体部３７と接着手段で接着されたブッシング延長部３８、の三つの部分とからなり、
（３）さらに、当該ブッシング頭部３６は当該スピーカー３５と接着されているので、
（４）図２に示すように、当該イヤホン２とブッシング３は一個の部品のように一体となっている（以後「一体になった」等という）、さらに、
（５）コード４は、当該ブッシングの中を貫通して、その一端はスピーカーと接続し、もう一方の端は基板７や、イヤホンジャック９や、コードＡ１３、のいずれかと接続している、
そして、以下は本考案の実施例の一つであるが、例えば当該イヤホンセット１の当該ブッシング３部分に関し、
（１）図６に示すように、携帯電話機の筺体１５を貫通して設けた孔へ、
（２）当該イヤホン２部分を当該携帯電話機筺体１５の外側から内側へブッシン３を貫通させるように挿入し、
（３）当該携帯電話機筺体１５の内部に当該ブッシング３が吊り下げられるように設けるものの、
（４）当該ブッシング３は、当該携帯電話機筺体１５からはみ出さない範囲で、動かすことができる、構造にすることにより、
（５）当該ブッシング３と接着した当該イヤホン２も、当該ブッシング部３と同一の動きが可能となるので、
（６）アンテナ線１９を伸ばすように、指一本で簡単に当該イヤホン２を伸ばすことが可能となる。
（７）しかも、適度に硬く弾力性を持った素材でなる当該ブッシング３と当該イヤホン２は一体となっているので、当該イヤホン２を手等で支えなくとも、当該イヤホン２は前後左右に折れ曲がって倒れることもなく、略正面を向いた状態を維持できる。
次にこれを使用する場合と効果については、以下のようになる。
着信時には、指で当該イヤホン２を押し上げ、図１８にみるように、当該イヤホン２を耳に、あるいは外耳道入口１７にあてることにより、良好な受信状態を享受できるのであり、
この結果従来の発明の諸欠点を改良することができる。
以上が本考案の概要である。【００２１】（部品の構造や機能および記述上の約束）
以下において種々の部品についてその構造や機能について説明するが、「上、下」「左、右」などの表現については本考案に関する書類である「種類名：図面」に描いた図形（図）を基準にして述べることにしる。
また、「一体になる」という表現は、ある部分（部品）とある部分（部品）が接着される等で、あたかも一つの構造物あるいは一つの部品のようになる状態をいうことにする。【００２２】（イヤホンセット）
図１はイヤホンセット１の構成を示す断面斜視図である。
当該イヤホンセット１は、イヤホン２部分と、ブッシング３部分及び、コード４部分からなっており、その構成と構造の詳細は以下のとおりである。
（１）当該イヤホン２部分については、
スピーカー３５と当該スピーカー３５の耳にあてる部分である前面部分を覆ったイヤホンカバー３４からなっており、耳にあてる部分である前面部分とは反対側の後面部は後述するブッシング頭部と接着手段により接着されている。
なお、当該スピーカー３５や当該イヤホーンカバー３４等の素材や形状、あるいは大きさなどを特定するものではなく、市販されているものを使用してもよい。
（２）当該ブッシング３部分は、
適度に硬く弾力性を持った素材でなるブッシング３は、図１の（ａ）と（ｂ）にみるように、当該スピーカー３５を覆ったブッシング頭部３６と、ブッシング胴体部３７の二つの部分からなり、あるいは、図１の（ａ）と（ｃ）にみるように、当該スピーカー３５を覆ったブッシング頭部３６と、ブッシング胴体部３７及び、当該ブッシング胴体部３７と接着手段で接続されたブッシング延長部３８、の三つの部分とからなり（なお、図１の（ｃ）のように「ブッシング胴体部」と接続された「ブッシング延長部」を含めて、特に断らない限り単に「ブッシング胴体部」という）、
当該ブッシング胴体部３７あるいは当該ブッシング胴体部３７と当該ブッシング延長部３８の形状については、丸型でもよく板状でもよく、あるいはテーパー状に形成さてもよく、その形状を特定するものではないが、当該ブッシング胴体部３７の図１でみるａ−ｂの長さを限定するものではないが、例えば１１センチメートル以上となるように形成し、さらに、
ブッシング頭部３６は、当該スピーカー３５の耳にあてる部分とは反対側であるスピーカー後部を、両者が固定されたかのようにして覆う部分であるが、ネジでとめてもよく、接着剤で接着させてもよく、その方法を特定するものではないが、
固定するようにして覆ったあとは、当該イヤホン２部分と当該ブッシング３が一体化された状態になるので、当該イヤホン２部分を手で持つ等の補助作用をせずとも、当該イホン２は略正面を向いた状態を維持することが可能となり、
当該イヤホン２の動きと当該ブッシング３、即ち当該ブッシング胴体部３７との動きは同一になる。また、
（３）コード４の素材等に関しては、
市販されているものでもよく、その素材や形状を特定するものではなく、
（４）当該コード４の一端は、図１にしめすように
当該イヤホン２と一体となったブッシング３、の中を貫通して当該イヤホン２、と接続されており、
（５）当該コード４のもう一方の端は、図２にしめすように
実施例によって異なるが図２に示すように当該携帯電話機１４の筺体１５内にあって、受信機能を有する基板７、と接続され、あるいはイヤホンジャック９、と接続されもしくは、いわゆる固定電話機１１の受話器１２にあっては、当該固定電話機１１本体と接続されたコードＡ１３、と接続されている。
（６）固定軸について
固定軸３９は図２０に示すように筒状のものでその中をブッシング３が貫通している。従って当該固定軸３９を固定すると当該ブッシング３が自在に上下に動けるようになっている。当該固定軸３９の材質は特定しないが、この上下運動に耐えられる適度の硬度があればよい。また、固定軸３９の内径の直径は、当該ブッシング３の外径の直径に対しては若干大きいが、携帯電話機１４を逆さまにしても当該ブッシング３がずり落ちてこないものの、当該ブッシング３がスムーズに上下に移動できる、程度の大きさにしておく。
なお、当該固定軸３９は当該ブッシング３に必ず装着する必要はない。装着するケースとしないケースがある。する、しないは構造上のことで、機能面に優劣は生じない。【００２３】（イヤホンセットの携帯電話機等への装着）
上記「００２２」で述べたイヤホンセット１の携帯電話機等への装着に関しては、装着場所を特定するものではない。ここでは、（実施例１）として携帯電話機の上端に装着する場合と、（実施例２）として固定電話機１１の受話器１２へ装着する場合と、（実施例３）としてイヤホンセットカバー８を使って携帯電話機の背面に装着する場合、および（実施例４）として台座２６とイヤホンセットカバー８とをもちいて携帯電話機の背面に装着する場合、について述べることにする。
【実施例】（実施例１）【００２４】（携帯電話機の上端への装着）
（イヤホンセットの装着）
実施例の一つとして携帯電話機上端１６部分に前記イヤホンセット１を設ける場合について述べることにする。
図６は、当該イヤホンセット１を携帯電話機上端に設けた状況を示す図で（ａ）斜視図、（ｂ）は側面断面図である。この図を参考にすると理解しやすい。
（１）携帯電話機上端に孔を設ける
図６（ａ）に示すように、携帯電話機上端１６に、携帯電話機筺体１５を貫通するようにして、当該イヤホンセット１の前記ブッシング３の外面（外径）とほぼ同じ大きさの孔を設ける。
（２）ブッシングの挿入
当該イヤホンセット１の前記イヤホン２部分を持って当該携帯電話機筺体１５の外側から内側（上から下）へ当該ブッシング３を貫通させるように挿入する。
なお、前記固定軸３９を当該ブッシング３部分に装着している場合は、当該固定軸３９を当該孔部分に固定手段で固定する。
（３）ブッシングの吊設
このことにより、当該イヤホンセット１は前記イヤホン２を上にして、当該携帯電話機筺体１５の内部に当該ブッシング３を吊り下げるような状態で設けたことになる。
（４）ブッシングの上下移動
以上の構造にも拘らず、吊り下げた当該ブッシング３は、当該携帯電話機筺体１５の内部に固定されるのではなく、携帯電話機上端１６部分に設けた孔を通って上下に移動できる構造にする。即ち、当該ブッシング３が携帯電話機筺体１５の内側から外側へ出る動きを可能とするのである。このことは即ち、当該イヤホン２も携帯電話機上端１６から上方へ移動できることになり（以後「イヤホンを伸ばす」または「イヤホンが離れる」という）、また、当該ブッシング３を携帯電話機筺体１５の中に押し込むことで、伸びた当該イヤホン２の下端が当該携帯電話機上端１６と接する位置までもってくることができる。（以後「イヤホンを縮める」または「イヤホンを収納する」という）
（５）イヤホンの動かし方と向き
上記（４）の動きの技術的特色は、当該イヤホン２は、例えば指一本ででも伸ばすことができることであり、さらに伸びた状態においても何の補助がなくとも当該イヤホン２は略正面を向いた状態を維持できる、ということである。
（６）コードの基板への接続
次にコード４についてであるが、当該コード４の一端は、「００２２」で記載したように携帯電話機筺体１５の内部にある基板７と接続させる。このことによって、携帯電話機１４が受信した音声や音を当該イヤホン２で聞くことができる。
（７）コードの収納方法とコードの長さ
さらに当該コード４は、図６に示すように、たるみをもたせた状態で当該基板７に接続させるのであるが、当該コード４のたるんだ部分の長さ（ｃ−ｂ）は当該ブッシング３が当該携帯電話機筺体１５の外に伸びた長さ（ａ−ｄ）より短くしておくことで、図７に示すように当該イヤホン２が最大に伸びても、当該ブッシング３が当該携帯電話機筺体１５の外側に抜け出すことはない。
（８）ブッシングのテーパー加工
あるいは、当該ブッシング３をテーパー状に形成しておくことで上記問題を解決できる。
（９）イヤホンの移動距離とブッシングの長さ
図７は当該携帯電話機筐体１５内での当該コード４と当該ブッシング３の関係を示す図で、（ａ）はイヤホンを収納した状態（ｂ）はイヤホンを最大に伸ばした状態を示す側面断面図である。当該イヤホン２が図７（ａ）の状態から図７（ｂ）の状態へ最大に伸びる長さは、（ａーｄ）である。この長さ（ａーｄ）は特定するものではないが、最大１１センチメートル以内で十分である。
従って、当該ブッシング３の長さ（ａーｂ）は１１センチメートル超とするが、その超過部分の長さ（ｄーｂ）を特定するものではない。
（１０）なお、当該イヤホン２を収納する際に、当該イヤホン２の一部または全部が、当該携帯電話機筐体１５の中に収納されるようにしてもよい。
また、当該携帯電話機筐体１５内に収納された当該コード４は、例えばゼンマイ等用いた収納機に収まるようにして、当該携帯電話機筐体１５内に収納してもよい。【００２５】（使用方法と効果）
上記「００２４」で装着した携帯電話機１４の使用方法について述べる。
当該携帯電話機１４が受信状態になったら、当該携帯電話機１４を握り、例えば人指指等で当該ブッシング頭部３６近辺等をはじくように押し上げて、当該イヤホン２を伸ばし、当該イヤホン２を耳にあてたり、あるいは外耳道入り口１７近辺にあてることにより、良好な受信環境を得ることができる。
図１６はイヤホンのデザインの一例を示す断面斜視図である。この図で示すように当該イヤホン２の後部に突起２８やノコギリ歯状突起２９を設けておくと、受信時に当該イヤホン２を指でより容易に押し出すことができる。
また、もともと当該イヤホン２が当該携帯電話機上端１６に出ているので、受信状態になった場合に当該イヤホン２を伸ばさずとも、そのままの状態でも容易に当該イヤホン２を耳に、あるいは外耳道入り口１７にあてることができ、これによって良好な受信環境を享受できる。
なお、上記「００２４」の（４）に記載のブッシングの上下移動、（５）のイヤホンの動かし方とイヤホン２の向き、（７）のコードの収納方法とコードの長さ、および（９）のイヤホンの移動距離とブッシングの長さ、またこの「使用方法と効果」等は以下に述べる（実施例２）から（実施例４）においても基本的に同じ構造・作用となる。
（実施例２）【００２６】（固定電話機の受話器への装着）
図１５は、固定電話機１１の受話器１２に前記イヤホンセット１を設けた図で（ａ）は斜視図、（ｂ）は断面図である。
当該固定電話機１１の受話器１２への装着方法や使用方法等は、前記コード４の接続方法を除き上記「００２４」に記載の通りである。
ところで当該固定電話機１１の受話器１２自体には上述した前記基板７は存在しない。当該固定電話機１１が受信した音声や音は、当該固定電話機１１にある当該基板７と連接したコードＡ１３を経由して当該受話器１２の受話部へ伝えられるようになっているので、「００２４」の（６）で記載したように当該コード４は固定電話機１１の内部にある基板７と接続させるのではなく、当該固定電話機１１から伸びた当該コードＡ１３に接続させるのである。
このことにより、固定電話機１１が受信した音声や音は、当該イヤホン２で聞くことができる。
上記以外の構造・作用および使用方法や効果等は「００２２」から「００２５」に記載の通りである。
（実施例３）【００２７】（イヤホンセットカバーを使った携帯電話機の背面への装着）
実施例の３番目として携帯電話機の背面にイヤホンセットカバーを用いて前記イヤホンセットを設ける場合について述べることにする。
図８から図１３を参考にすると理解しやすい。
（１）携帯電話機の背面に孔を設ける
図１０は、イヤホンを携帯電話機の背面に設けた状態を示す断面図である。この図に示すように携帯電話機背面２２に携帯電話機筺体１５を貫通するようにして、孔を設ける。
（２）コードの基板への接続
次に当該コード４についてであるが、当該コード４の一端は、「００１２」の（５）あるいは「００２４」の（６）で記載したように携帯電話機筺体１５の内部にある基板７と接続させる。このことによって、携帯電話機１４が受信した音声や音を当該イヤホン２で聞くことができる。
（３）コードの収納方法とコードの長さ
さらに当該コード４は、図１０や図１１あるいは図１２に示すように、たるみをもたせた状態で当該基板７に接続させる。図１２はイヤホンセットカバー内の当該コード４とブッシングの関係を示す図で（ａ）はイヤホンを収納した状態（ｂ）はイヤホンを最大限に伸ばした状態を示す断面斜視図である。この図１２で詳しく示したように、当該コード４のたるんだ部分の長さ（ｂ−ｃ）は当該ブッシング３が当該イヤホンセットカバー８の開口部から上（外）に最大に伸びた長さ（ａ−ｄ）より短くしておくことで、図１２に示すように当該イヤホン２が最大に伸びても、当該ブッシング３がイヤホンセットカバー８からはみ出すことはない。
（４）イヤホンセットカバーについて
図８は、イヤホンセットカバーの一例を示す斜視図である。
当該イヤホンセットカバー８の素材については、金属、合成樹脂、布、皮革等素材は特定しない。形状については図８に見るように、かまぼこ型あるいは方形からなる等その形状を特定しなものの、その両端は開口部となっており、その両翼にはノリシロａ２３およびノリシロｂ２４が設けられており、これらノリシロの裏面には接着剤等が塗布されており、後述するように当該イヤホンセットカバー８は前記イヤホンセット１を覆ったあと、当該携帯電話機背面２２へ固定される。なお、固定する方法は、接着、縫着等その手段を特定するものではない。
（５）イヤホンセットの装着
図１２の（ａ）と図１０を参照すると理解が早いが、当該イヤホンセット１の当該イヤホン２の下端部分が当該携帯電話機上端１６に接するように当該イヤホンセット１を当該携帯電話機背面２２に置き（セットし）、
当該イヤホン２と一体となった当該ブッシング３が容易に当該イヤホンセットカバー８からずれ出さずしかし、手で引っ張ったり指で押し出せば、容易に当該イヤホン２が伸びたり縮んだりできるような強さで、当該ブッシング３部分と当該コード４を当該イヤホンセットカバー８で覆い、あるいは、
当該ブッシング３に前記固定軸３９が装着されている場合は、当該固定軸３９部分を当該イヤホンセットカバー８で覆い、
両翼のノリシロａおよびｂを介して当該イヤホンセットカバー８を当該携帯電話機背面２２に接着手段を用いて接着させる。
これによりあたかも当該イヤホンセット１が当該イヤホンセットカバー８を介して当該携帯電話機背面２２に固定されたかのような状態になる。
図１０は上記のようにして当該イヤホンセット１を当該携帯電話機１４の背面２２に設けた状態を示す断面図である。また、図９は、当該イヤホン２を除いた状態で、当該イヤホンセット１を当該イヤホンセットカバー８で覆った状況を示す上面断面図である。
（６）イヤホンの移動
以上の構造により、当該イヤホンセットカバー８で覆われた当該ブッシング３は、当該イヤホンセットカバー８内で（上下に）移動することができる。このことにより当該イヤホン２も上下に移動することが可能となる。
当該ブッシング３は適度に硬く弾力性のある素材からなっているので、当該イヤホン２を伸ばしても、手等で保持せずとも、当該イヤホン２は略正面を向いた状態を維持することができる。
また、上記（３）に記載したように図１２に示す当該コード４の長さ（ｂ−ｃ）は、当該ブッシング３が最大に移動する距離（ａ−ｄ）より短いので、当該ブッシング３が当該イヤホンセットカバー８の上部の開口部からはみ出すことはない。
この当該イヤホン２の移動と保持装置がなくとも当該イヤホン２が略正面を向いている点に本考案の技術的進歩性と新規性があるのである。
（７）ブッシングの長さ
当該イヤホンカバー８で覆われる当該ブッシング３の長さ等については上記「００２４」の（９）に記載したとおりである。
（８）固定電話機の受話器への装着
当該イヤホンセットカバー８をもちいて、当該イヤホンセット１を固定電話機１１の受話器１２にもうける方法については、上記（実施例２）に記載した方法と基本的に同じであり、当該コード４の接続先が当該基板７ではなく前述したコードＡ１３となるのである。
（９）イヤホンジャックをもちいる方法
請求項４に記載しているが、上記（２）で、当該携帯電話機背面２２の筐体１５に孔設け、当該コード４の一端を当該基板７に接続させたが、前記孔も設けず従って当該基板７へ接続せず、当該コード４の一端にイヤホンジャック９を設け、当該イヤホンジャック９を携帯電話機１４のイヤホンジャック挿入口１０に挿入する方法がある。この方法によっても上記各実施例と同一の効果を得ることができる。
この場合、当該ブッシング３の一端から当該イヤホンジャック９までの当該コード４は、コードカバー２７で覆ってもよく、露出させたままでもよく、この点は特定するものではない。但し実務上は覆うことが望ましい。
（１０）なお、当該イヤホン２を収納する場合、図面は省略するが当該イヤホンの全部または一部を、当該イヤホンセットカバー８内に収納するようにしてもよい。即ち、当該イヤホンセットカバー８で、当該イヤホン２の全部又は一部を覆うようにしてもよい。
（１１）使用方法と効果
使用方法に関しては上記「００１５」に記載したとおりである。
（実施例４）【００２８】（台座とイヤホンセットカバー８とをもちいた携帯電話機の背面への装着）
（実施例４）は請求項５に記載していることである。（実施例３）は、前記イヤホンセット１を携帯電話機背面２２に直接設ける方法について述べてきた。しかし、当該携帯電話機背面２２に設ける（のせる）前記イヤホンセット１を、容易に破損しないがしかしハサミ等で切断加工できる素材からなる台座２６に乗せた後に、前記イヤホンセットカバー８で覆い、当該イヤホンセットカバー８を当該台座２６に接着手段を用いて接着させ、更にその後、当該台座２６を当該携帯電話機背面２２等に接着手段で接着させる、とう方法がある。完成した状態を示す図１３を参照すると理解が早いが、具体的には下記のような構造になる。
（１）当該イヤホンセット１の当該イヤホン２の下端部分が当該台座２６の上端に接するように当該イヤホンセット１を当該台座２６の上に置き（セットし）、
（２）当該イヤホン２と一体となった当該ブッシング３が容易に当該イヤホンセットカバー８からずれ出さずしかし、手で引っ張ったり指で押し出せば、容易に当該イヤホン２が伸びたり縮んだりできるような強さで、当該ブッシング３部分と当該コード４を当該イヤホンセットカバー８で覆い、あるいは、
当該ブッシング３に前記固定軸３９が装着されている場合は、当該固定軸３９部分と当該コード４とを当該イヤホンセットカバー８で覆い、
（３）両翼のノリシロａおよびｂを介して当該イヤホンセットカバー８を当該台座２６に接着手段を用いて接着さる。
（４）これによりあたかも当該イヤホンセット１が当該イヤホンセットカバー８を介して当該台座２６に固定されたかのような状態になる。
（５）この状態の当該台座２６を接着手段を用いて、当該携帯電話機背面２２等に接着させる。
（６）なお、当該ブッシング３の一端のコード４にはイヤホンジャック９を設け、当該イヤホンジャック９を当該携帯電話機１４のイヤホンジャック挿入口１０に挿入する。このことにより、受信した音声や音は当該イヤホン２で聞くことができる。
上記コード４にイヤホンジャック９を設けずに、上記「００２７」に記載したように前記基板７や前記コードＡ１３と接続させる場合には、当該台座２６にも当該コードを通す孔を設け、当該台座２６の孔と前記携帯電話機筐体１５に設けた孔とを通して当該基板や当該コードＡ１３と接続させるようにする。
（７）ブッシング３を覆った当該イヤホンカバー８の一端から当該イヤホンジャック挿入口１０までの当該コード４は、コードカバー２７で覆ってもよく、あるいは当該コードカバー２７をかけずに当該コード４が露出した状態にしておいてもよい。
（８）当該コードカバー２７の素材は当該イヤホンカバー８と同一でもよく、特定するものではない。また、当該コードカバー２７の形状についても特定するものではない。
（９）さらに、当該台座２６の形状は、長方形でもよくその形状を特定するものではない。
なお、当該ブッシング３の移動や当該ブッシング３の長さ等当該イヤホンセット８を設けることに関しての構造は、上記以外については「００２７」に記載したとおりである。
また、使用方法と効果については上記「００２５」に記載したとおりである。
【図面の簡単な説明】
【００２９】
【図１】イヤホンセットを示す図で（ａ）は構成斜視図（ｂ）はブッシングがブッシング頭部とブッシング胴体部よりなるイヤホンセットの組立完成図を示す斜視図で（ｃ）はブッシングがブッシング頭部とブッシング胴体部およびブッシング延長部よりなるイヤホンセットの組立完成図を示す
【図２】イヤホンセットで（ａ）は基板と、（ｂ）はイヤホンジャックと（ｃ）は固定電話機の受話器と、接続する場合を示す断面斜視図
【図３】イヤホンセットを携帯電話機に設けた図で（ａ）は斜視図（ｂ）は側面図
【図４】イヤホンを伸ばした状況を示す図で（ａ）は斜視図、（ｂ）は側面図
【図５】従来の携帯電話機の斜視図
【図６】イヤホンセットを携帯電話機上端に設けた状況を示す図で（ａ）斜視図（ｂ）は側面断面図
【図７】携帯電話機筺体内でのコードとブッシングの関係を示す図で、（ａ）はイヤホンを収納した状態（ｂ）はイヤホンを最大に伸ばした状態を示す側面断面図
【図８】イヤホンセットカバーを示す斜視図
【図９】イヤホンセットをイヤホンセットカバーで覆った状況を示す上面断面図
【図１０】イヤホンを携帯電話機の背面に設けた状態を示す断面図
【図１１】台座を使ってイヤホンセットを携帯電話機の背面に設けた状況を示す拡大断面斜視図
【図１２】イヤホンセットカバー内のコードとブッシングの関係を示す図で（ａ）はイヤホンを収納した状態（ｂ）はイヤホンを最大限に伸ばした状態を示す断面斜視図
【図１３】台座とイヤホンジャックを使ってイヤホンセットを携帯電話機背面に設けた状態を示す斜視図
【図１４】イヤホンセットを子機に設けた状況を示す斜視図
【図１５】固定電話機の受話器にイヤホンセットを設けた図で（ａ）は斜視図、（ｂ）は断面図
【図１６】イヤホンのデザインの一例を示す断面斜視図
【図１７】従来の携帯電話機の使用状態を示す側面断面図
【図１８】本考案による携帯電話機の使用状態を示す側面断面図
【図１９】耳の構造の概略図
【図２０】ブッシングに軸着した固定軸を示す斜視図
【符号の説明】
【００３０】１    イヤホンセット                  ２１  送話口
２    イヤホン                        ２２  携帯電話機背面
３    ブッシング                      ２３  ノリシロａ
４    コード                          ２４  ノリシロｂ
５    送受話器                        ２５  接着剤塗布面
６    送受話器筐体                    ２６  台座
７    基板                            ２７  コードカバー
８    イヤホンセットカバー            ２８  突起
９    イヤホンジャック                ２９  ノコギリ歯状突起
１０  ヤホンジャック挿入口            ３０  耳介
１１  固定電話                        ３１  外耳道
１２  固定電話機の受話器              ３２  鼓膜
１３  コードＡ                        ３３  子機
１４  携帯電話機                      ３４  イヤホンカバー
１５  携帯電話機筐体                  ３５  スピーカー
１６  携帯電話機上端                  ３６  ブッシング頭部
１７  外耳道入口                      ３７  ブッシング胴体部
１８  受話口（内蔵イヤホン）          ３８  ブッシング延長部
１９  アンテナ線                      ３９  固定軸
２０  アンテナストッパー
【図１】
0003113024.tif 000003
【図２】
0003113024.tif 000004
【図３】
0003113024.tif 000005
【図４】
0003113024.tif 000006
【図５】
0003113024.tif 000007
【図６】
0003113024.tif 000008
【図７】
0003113024.tif 000009
【図８】
0003113024.tif 000010
【図９】
0003113024.tif 000011
【図１０】
0003113024.tif 000012
【図１１】
0003113024.tif 000013
【図１２】
0003113024.tif 000014
【図１３】
0003113024.tif 000015
【図１４】
0003113024.tif 000016
【図１５】
0003113024.tif 000017
【図１６】
0003113024.tif 000018
【図１７】
0003113024.tif 000019
【図１８】
0003113024.tif 000020
【図１９】
0003113024.tif 000021
【図２０】
0003113024.tif 000022